Podtech/llm-jp-corpus-v4-ja_patent huggingface dataset:
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
モータと、前記モータの動力が伝達される動力伝達機構部と、前記モータを収容するハウジングとを有する電動工具において、前記モータの反動力伝達機構部側と前記ハウジングとの間に、弾性体から成るリヤダンパを設けることを特徴とする電動工具。
【請求項２】
前記リヤダンパは、前記モータの一部であってモータ軸の軸受を保持する軸受保持部材と、前記ハウジングの前記軸受保持部材と対向する部分との間に設けられることを特徴とする請求項１記載の電動工具。
【請求項３】
前記リヤダンパは、前記モータのモータ軸付近に穴が設けられることを特徴とする請求項１記載の電動工具。
【請求項４】
前記リヤダンパに、フェルト或いはスポンジ等で構成され、前記穴を閉塞する粉塵抑制部材を設けることを特徴とする請求項３記載の電動工具。
【請求項５】
前記モータの動力伝達機構部側に、弾性体から成るフロントダンパを設けることを特徴とする請求項１記載の電動工具。
【手続補正２】
【補正対象書類名】明細書
【補正対象項目名】０００５
【補正方法】変更
【補正の内容】
【０００５】
【課題を解決するための手段】上記目的を達成するために本発明は、モータと、前記モータの動力が伝達される動力伝達機構部と、前記モータを収容するハウジングとを有する電動工具において、前記モータの反動力伝達機構部側と前記ハウジングとの間に、弾性体から成るリヤダンパを設けることに一つの特徴がある。
本発明の他の特徴は、前記リヤダンパは、前記モータの一部であってモータ軸の軸受を保持する軸受保持部材と、前記ハウジングの前記軸受保持部材と対向する部分との間に設けられることにある。
本発明の他の特徴は、前記リヤダンパは、前記モータのモータ軸付近に穴が設けられることにある。
本発明の他の特徴は、前記リヤダンパに、フェルト或いはスポンジ等で構成され、前記穴を閉塞する粉塵抑制部材を設けることにある。
本発明の他の特徴は、前記モータの動力伝達機構部側に、弾性体から成るフロントダンパを設けることにある。
【手続補正３】
【補正対象書類名】明細書
【補正対象項目名】０００７
【補正方法】変更
【補正の内容】
【０００７】
図１において、ハウジング１内には、スイッチ２及びモータ３が収容されており、このスイッチ２とモータ３間はリードワイヤ４によって電気的に接続されていると共に、モータ軸後端の軸受（図示せず）を保持する軸受保持部材であるエンドキャップ３１の付近に設けられ且つハウジング１に形成されているリブ１１とエンドキャップ３１間に図２に示す形状の弾性体から成るリヤダンパ７を配している。


【手続補正４】
【補正対象書類名】明細書
【補正対象項目名】００１３
【補正方法】変更
【補正の内容】
【００１３】
【発明の効果】本発明によれば、モータと、前記モータの動力が伝達される動力伝達機構部と、前記モータを収容するハウジングとを有する電動工具において、前記モータの反動力伝達機構部側と前記ハウジングとの間に、弾性体から成るリヤダンパを設けることにより、モータの反動力伝達機構部側とハウジングとの衝突をなくすことができる。
また、前記リヤダンパを、前記モータの一部であってモータ軸の軸受を保持する軸受保持部材と、前記ハウジングの前記軸受保持部材と対向する部分との間に設けることにより、軸受保持部材とハウジングとの衝突をなくすことができる。
また、前記リヤダンパは、前記モータのモータ軸付近に穴が設けられるようにすることにより、リヤダンパとモータ軸とが干渉することを防ぐことができる。
また、前記リヤダンパに、フェルト或いはスポンジ等で構成され、前記穴を閉塞する粉塵抑制部材を設けることにより、粉塵による不具合を防ぐことができる。
また、前記モータの動力伝達機構部側に、弾性体から成るフロントダンパを設けることにより、モータはハウジングに対して軸方向のいずれの方向にも衝突することがなくなり、モータの性能及び寿命の向上を図ることができる。
【手続補正書】
【提出日】平成14年10月15日(2002.10.15)
【手続補正１】
【補正対象書類名】明細書
【補正対象項目名】０００２
【補正方法】変更
【補正の内容】
【０００２】
【従来の技術】
従来、変速機ユニットのハウジング構造において、例えば実開平２−６２１５７号公報に記載の技術が知られている。これは、図６（イ）に示すように、ケースａとケースｂから構成され、ケースａとケースｂの合わせ面ｃのフランジ構造が図６（ロ）に示すように、ケースの外周のみで接合されているものである。
【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
リボンカートリッジを支持したキャリッジと、このキャリッジの移動方向に延びる固定のラックと、このラックに噛み合うリボン輪列駆動ギアと、このリボン輪列駆動ギアが一端に連結されたアームと、このアームの他端に連結されると共に、キャリッジに軸支された伝達ギアとを備え、前記キャリッジの移動に伴って、リボン輪列駆動ギアから動力を得て、伝達ギアを含むリボン輪列を駆動し、リボン巻取軸を回転させて、前記リボンカートリッジのリボンを巻き取る構成を備えた記録装置において、
一端がリボン輪列駆動ギアの回転軸に係止され、他端がラックの基体の上面に係止されて、リボン輪列駆動ギアの回転軸中心とラック間距離を略一定に保持するガイド部材を備えたことを特徴とする記録装置。
【請求項２】
前記ガイド部材の他端がラックの基体の上面にオーバーハングする構成としたことを特徴とする請求項１記載の記録装置。
【請求項３】
前記ガイド部材がリボン輪列駆動ギアの回転軸に係止される固定部と、この固定部にヒンジ結合されてラックの基体に係止される揺動可能部とからなり、この揺動可能部が前記ラックの基体の上面に係止されていることを特徴とする請求項１記載の記録装置。
【手続補正２】
【補正対象書類名】明細書
【補正対象項目名】００１３
【補正方法】変更
【補正の内容】
【００１３】
【課題を解決するための手段】
上記目的を達成するため、請求項１記載の発明は、リボンカートリッジを支持したキャリッジと、このキャリッジの移動方向に延びる固定のラックと、このラックに噛み合うリボン輪列駆動ギアと、このリボン輪列駆動ギアが一端に連結されたアームと、このアームの他端に連結されると共に、キャリッジに軸支された伝達ギアとを備え、前記キャリッジの移動に伴って、リボン輪列駆動ギアから動力を得て、伝達ギアを含むリボン輪列を駆動し、リボン巻取軸を回転させて、前記リボンカートリッジのリボンを巻き取る構成を備えた記録装置において、一端がリボン輪列駆動ギアの回転軸に係止され、他端がラックの基体の上面に係止されて、リボン輪列駆動ギアの回転軸中心とラック間距離を略一定に保持するガイド部材を備えたことを特徴とするものである。
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
整数を法数とした巾乗剰余型演算を使った暗号方式で利用する鍵を生成する装置において、
非衝突性関数演算手段と、
合成数を生成する手段と、
第１（Ｉ）、第２（Ｄ）、第３（Ｅ）の数を決定する手段であって、第１の数に上記非衝突性関数演算手段による演算を施した結果と、第２の数と、第３の数との積が、上記合成数のオイラー数を法として１と合同になるようなものとを有することを特徴とする鍵生成装置。
【請求項２】
整数を法数とした巾乗剰余型演算を使った暗号方式で利用する鍵を生成する装置において、
素数を生成する手段と、
合成数を生成する手段と、
第１（Ｉ）、第２（Ｄ）、第３（Ｅ）の数を決定する手段であって、上記素数生成手段で生成した第１の数と、第２の数と、第３の数との積が、上記合成数のオイラー数を法として１と合同になるようなものとを有することを特徴とする鍵生成装置。
【請求項３】
整数を法数とした巾乗剰余型演算を使った暗号方式で利用する鍵を生成する装置において、
情報に所定の冗長性を付与する手段と、
合成数を生成する手段と、
第１（Ｉ）、第２（Ｄ）、第３（Ｅ）の数を決定する手段であって、上記冗長性付与手段によって特定のデータに冗長性を付与した結果生成された第１の数と、第２の数と、第３の数との積が、上記合成数のオイラー数を法として１と合同になるようなものとを有することを特徴とする鍵生成装置。
【請求項４】
整数を法数とした巾乗剰余型演算を使った暗号方式で利用する鍵を生成する鍵生成方法において、
合成数生成部が合成数を生成するステップと、
第１（Ｉ）、第２（Ｄ）、第３（Ｅ）の数を決定する決定部が、第１の数に非衝突性関数演算部による演算を施した結果と、第２の数と、第３の数との積が、上記合成数のオイラー数を法として１と合同になるように、第１の数、第２の数、および第３の数を決定するステップとを有することを特徴とする鍵生成方法。
【請求項５】
整数を法数とした巾乗剰余型演算を使った暗号方式で利用する鍵を生成する鍵生成方法において、
素数生成部が素数を生成するステップと、
合成数生成部が合成数を生成するステップと、
第１（Ｉ）、第２（Ｄ）、第３（Ｅ）の数を決定する決定部が、上記素数生成部で生成した第１の数と、第２の数と、第３の数との積が、上記合成数のオイラー数を法として１と合同になるように、第１の数、第２の数、および第３の数を決定するステップとを有することを特徴とする鍵生成方法。
【請求項６】
整数を法数とした巾乗剰余型演算を使った暗号方式で利用する鍵を生成する鍵生成方法において、
合成数生成部が合成数を生成するステップと、
第１（Ｉ）、第２（Ｄ）、第３（Ｅ）の数を決定する決定部が、冗長性付与部によって特定のデータに冗長性を付与した結果生成された第１の数と、第２の数と、第３の数との積が、上記合成数のオイラー数を法として１と合同になるように、第１の数、第２の数、および第３の数を決定するステップとを有することを特徴とする鍵生成方法。
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
眼底ステレオ画像から眼底三次元形状を計測する眼底計測装置において、眼底ステレオ画像を入力する画像入力手段と、入力された眼底ステレオ画像の左画像と右画像に対してその縦方向又は横方向の少なくとも１方向の濃度情報を積分した積分データを求め、該積分データをさらに微分して求めた微分データに基づいて視差情報を測定する視差測定手段と、該視差情報に基づいて前記眼底ステレオ画像から左画像と右画像を抽出する左右画像抽出手段と、抽出された左右画像から眼底各部の高さを求めて眼底三次元形状を生成する三次元形状生成手段と、を備えることを特徴とする眼底計測装置。
【請求項２】
眼底ステレオ画像から眼底三次元形状を計測する眼底計測装置において、眼底ステレオ画像を入力する画像入力手段と、入力された眼底ステレオ画像から左画像と右画像を抽出する左右画像抽出手段と、該抽出された左右画像に対して順次解像度を落とした多重解像度の左右画像を作成し、解像度の低い左右画像から次第に対応点を抽出する対応点抽出手段と、抽出された対応点に基づいて眼底三次元形状を生成する三次元形状生成手段と、を備えることを特徴とする眼底計測装置。
【請求項３】
眼底ステレオ画像から眼底三次元形状を計測する眼底計測装置において、眼底ステレオ画像を撮影する眼底カメラと、該眼底カメラにより撮影された眼底ステレオ画像を入力する画像入力手段と、入力された眼底ステレオ画像の左画像と右画像に対してその縦方向又は横方向の少なくとも１方向の濃度情報を積分した積分データを求め、該積分データをさらに微分して求めた微分データに基づいて視差情報を測定する視差測定手段と、該視差情報に基づいて前記眼底ステレオ画像から左画像と右画像を抽出する左右画像抽出手段と、抽出された左右画像から眼底各部の高さを求めて眼底三次元形状を生成する三次元形状生成手段と、該三次元形状生成手段により生成された眼底三次元形状を可視的に出力する出力手段と、を備えることを特徴とする眼底計測装置。
【請求項４】
眼底ステレオ画像の左画像と右画像に対してその縦方向又は横方向の少なくとも１方向の濃度情報を積分した積分データを求め、該積分データをさらに微分して求めた微分データに基づいて視差情報を測定する視差測定ステップと、該視差情報に基づいて前記眼底ステレオ画像から左画像と右画像を抽出する左右画像抽出ステップと、抽出された左右画像から眼底各部の高さを求めて眼底三次元形状を生成する三次元形状生成ステップと、を備えることを特徴とする眼底計測プログラムを記録した記録媒体。
【請求項５】
眼底ステレオ画像から左画像と右画像を抽出する左右画像抽出ステップと、該抽出された左右画像に対して順次解像度を落とした多重解像度の左右画像を作成し、解像度の低い左右画像から次第に対応点を抽出する対応点抽出ステップと、抽出された対応点に基づいて眼底三次元形状を生成する三次元形状生成ステップと、を備えることを特徴とする眼底計測プログラムを記録した記録媒体。
【手続補正２】
【補正対象書類名】明細書
【補正対象項目名】０００９
【補正方法】変更
【補正の内容】
【０００９】
（２）  眼底ステレオ画像から眼底三次元形状を計測する眼底計測装置において、眼底ステレオ画像を入力する画像入力手段と、入力された眼底ステレオ画像から左画像と右画像を抽出する左右画像抽出手段と、該抽出された左右画像に対して順次解像度を落とした多重解像度の左右画像を作成し、解像度の低い左右画像から次第に対応点を抽出する対応点抽出手段と、抽出された対応点に基づいて眼底三次元形状を生成する三次元形状生成手段と、を備えることを特徴とする。


【手続補正３】
【補正対象書類名】明細書
【補正対象項目名】００１０
【補正方法】変更
【補正の内容】
【００１０】
（３）  眼底ステレオ画像から眼底三次元形状を計測する眼底計測装置において、眼底ステレオ画像を撮影する眼底カメラと、該眼底カメラにより撮影された眼底ステレオ画像を入力する画像入力手段と、入力された眼底ステレオ画像の左画像と右画像に対してその縦方向又は横方向の少なくとも１方向の濃度情報を積分した積分データを求め、該積分データをさらに微分して求めた微分データに基づいて視差情報を測定する視差測定手段と、該視差情報に基づいて前記眼底ステレオ画像から左画像と右画像を抽出する左右画像抽出手段と、抽出された左右画像から眼底各部の高さを求めて眼底三次元形状を生成する三次元形状生成手段と、該三次元形状生成手段により生成された眼底三次元形状を可視的に出力する出力手段と、を備えることを特徴とする。


【手続補正４】
【補正対象書類名】明細書
【補正対象項目名】００１１
【補正方法】変更
【補正の内容】
【００１１】
（４）  眼底計測プログラムを記録した記録媒体において、眼底ステレオ画像の左画像と右画像に対してその縦方向又は横方向の少なくとも１方向の濃度情報を積分した積分データを求め、該積分データをさらに微分して求めた微分データに基づいて視差情報を測定する視差測定ステップと、該視差情報に基づいて前記眼底ステレオ画像から左画像と右画像を抽出する左右画像抽出ステップと、抽出された左右画像から眼底各部の高さを求めて眼底三次元形状を生成する三次元形状生成ステップと、を備えることを特徴とする。


【手続補正５】
【補正対象書類名】明細書
【補正対象項目名】００１２
【補正方法】変更
【補正の内容】
【００１２】
（５）  眼底計測プログラムを記録した記録媒体において、眼底ステレオ画像から左画像と右画像を抽出する左右画像抽出ステップと、該抽出された左右画像に対して順次解像度を落とした多重解像度の左右画像を作成し、解像度の低い左右画像から次第に対応点を抽出する対応点抽出ステップと、抽出された対応点に基づいて眼底三次元形状を生成する三次元形状生成ステップと、を備えることを特徴とする。


【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正書】
【提出日】平成15年7月18日(2003.7.18)
【手続補正１】
【補正対象書類名】明細書
【補正対象項目名】発明の名称
【補正方法】変更
【補正の内容】
【発明の名称】超純水中の微粒子捕捉用濾過膜の洗浄方法並びに超純水中の微粒子捕捉用濾過膜及び部品の保管・運搬方法


【手続補正２】
【補正対象書類名】明細書
【補正対象項目名】請求項１７
【補正方法】変更
【補正の内容】
【請求項１７】
超純水に界面活性剤を添加してなる界面活性剤水溶液、超純水を電気分解して得られる電解カソード水に界面活性剤を添加してなる界面活性剤水溶液、超純水に水素ガスを溶解した水素溶解水に界面活性剤を添加してなる界面活性剤水溶液、超純水を電気分解して得られる電解アノード水に界面活性剤を添加してなる界面活性剤水溶液、又は、超純水に酸素ガス、塩素ガス及びオゾンガスから選ばれる１種を溶解した酸化性ガス溶解水に界面活性剤を添加してなる界面活性剤水溶液に、超純水中の微粒子捕捉用濾過膜並びに超純水中の微粒子捕集装置及び該捕集装置を設置する通水系を構成する部品から選ばれる濾過膜及び/又は部品を浸漬した状態で、該濾過膜及び/又は部品の保管又は運搬を行うことを特徴とする超純水中の微粒子捕捉用濾過膜及び部品の保管・運搬方法。
【手続補正３】
【補正対象書類名】明細書
【補正対象項目名】００１３
【補正方法】変更
【補正の内容】
【００１３】
すなわち、溶液中において、微粒子及び濾過膜は帯電しており、その電位は、溶液のｐＨ値に依存してプラスからマイナスへ変化する。微粒子と濾過膜の表面電位が反対符号であれば、静電引力により微粒子は膜から除去し難くなる。微粒子と濾過膜の表面電位が同符号であれば、反発力により微粒子は膜から除去し易くなり、しかも一度除去した微粒子は再付着し難くなる。本発明で用いる界面活性剤は、粒子や膜の表面に吸着してその表面電位を変化させることができる。すなわち、粒子や膜の表面電位と同符号の活性剤はその電位をさらに高め、異符号の活性剤は吸着により表面電位を逆転させることができる。よって、本発明では、洗浄水にアニオン界面活性剤を添加して微粒子及び濾過膜の表面電位をマイナスに制御したり、カチオン界面活性剤を添加して微粒子及び濾過膜の表面電位をプラスに制御したりすることにより、優れた微粒子除去効果を得ることが可能となる。


【手続補正４】
【補正対象書類名】明細書
【補正対象項目名】００６３
【補正方法】変更
【補正の内容】
【００６３】
図１において、４は従来の一般的な構成の超純水製造装置を示す。この超純水製造装置４は、二次純水（超純水）製造系の出口（超純水送出口）から一次純水製造系と二次純水製造系との間の一次純水タンクに戻すように循環系４１が配管されているとともに、その循環系４１の途中でユースポイントに超純水を給水するようになっている。
【手続補正書】
【提出日】平成15年6月24日(2003.6.24)
【手続補正１】
【補正対象書類名】明細書
【補正対象項目名】０００４
【補正方法】変更
【補正の内容】
【０００４】
その一例として特公平７−２６７０１号公報に開示された明細書中の実施例６を示す第７図には、全てのインジェクタコイルＶ１〜ＶＮの一端を高電圧発生部１０及び定電流回路部３０に共通接続し、更にインジェクタコイルＶ１〜ＶＮの各他端に気筒毎の通電制御用トランジスタτ１〜τ３を接続して独立に通電制御する方式が示されている。


【手続補正２】
【補正対象書類名】明細書
【補正対象項目名】００２０
【補正方法】変更
【補正の内容】
【００２０】
（ｅ）は高電圧発生手段４、第１のスイッチング手段１３、第３のスイッチング手段１７、低電圧発生手段５、保持電流発生手段１４、逆阻止ダイオード１５、電流高速ＯＦＦ手段（１）１６の動作により、第１イグニッションコイル６に供給される励磁電流、（ｋ）は高電圧発生手段４、第１のスイッチング手段１３、第４のスイッチング手段１９、低電圧発生手段５、保持電流発生手段１４、逆阻止ダイオード１５、電流高速ＯＦＦ手段（２）１８の動作により、第４イグニッションコイル９に供給される励磁電流、（ｇ）は第２と第３インジェクタ駆動回路２０の動作により第２インジェクタコイル７に供給される励磁電流、（ｉ）は第２と第３インジェクタ駆動回路２０の動作により第３インジェクタコイル８に供給される励磁電流である。


【手続補正３】
【補正対象書類名】明細書
【補正対象項目名】００３２
【補正方法】変更
【補正の内容】
【００３２】
第１気筒インジェクタまたは第４気筒インジェクタの閉弁を高速化するために、第１インジェクタコイル６または第４インジェクタコイル９の各々を通電状態からオフする際には、電流高速ＯＦＦ手段（１）１６または電流高速ＯＦＦ手段（２）１８により第１及び第４インジェクタコイル６、９の両端を短絡して電流を電流高速ＯＦＦ手段（１）１６または電流高速ＯＦＦ手段（２）１８にバイパスして遮断を行う。この結果、図２に示す第１インジェクタコイル６には（ｅ）で、第４インジェクタコイル９には（ｋ）の電流通電が実現される。


【手続補正４】
【補正対象書類名】明細書
【補正対象項目名】００３３
【補正方法】変更
【補正の内容】
【００３３】
同様に第２インジェクタコイル７及び第３インジェクタコイル８についても燃料量／噴射時期演算手段２からの第２気筒インジェクタ駆動信号（ｆ）及び第３気筒インジェクタ駆動信号（ｈ）を入力としてすることで、図２に示す（ｇ）または（ｉ）の電流通電が実現される。


【手続補正５】
【補正対象書類名】図面
【補正対象項目名】図２
【補正方法】変更
【補正の内容】
【図２】
1998318025.tif 000001
【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
複数粒子を移動させる粒子移動手段と、移動粒子に対して光を照射する光照射部と、光照射された粒子を撮像する撮像部と、撮像された粒子像を画像処理する画像処理部と、画像処理結果を出力する出力部とを備え、
画像処理部は、撮像された各粒子像について、粒径パラメータ、円形度パラメータ、長短径比パラメータ、以上３つのパラメータのうち必要なパラメータを算出する算出部と、上記算出されたパラメータから、円形度パラメータによる分布データ、長短径比パラメータによる分布データ、粒径パラメータと長短径比パラメータとによる分布データ、円形度パラメータと長短径比パラメータとによる分布データ、粒径パラメータと円形度パラメータと長短径比パラメータとによる分布データ、以上５つの分布データのうち少なくとも１つの分布データを作成しそれを分布図として出力するための図表作成部と、分布データに対し解析を行いその解析結果を出力部に出力する解析部とからなることを特徴とする粒子画像分析装置。
【請求項２】
分布図内に所定領域を指定する指定部をさらに備え、解析部は、その指定された領域内の分布データに対し解析を行いその解析結果を出力部に出力する請求項１記載の粒子画像分析装置。
【請求項３】
図表作成部は、個々に得られた複数の分布データを累積する分布データ累積部を備え、その累積された分布データを合成分布図として出力部に出力させる分布データ合成機能をさらに備えてなる請求項１又は２記載の粒子画像分析装置。
【請求項４】
移動する複数の粒子を順次撮像して得られる粒子画像から、粒径パラメータ，円形度パラメータおよび長短径比パラメータの少なくとも１つのパラメータを算出し、得られたパラメータの値を集計し、円形度パラメータによる分布データ，長短径比パラメータによる分布パラメータ，粒径パラメータと長短径比パラメータとによる分布データ，円形度パラメータと長短径比パラメータとによる分布データ，粒径パラメータと円形度パラメータと長短径比パラメータとによる分布データ、以上５つの分布データのうち少なくとも１つの分布データを作成しそれを分布図として出力する図表作成機能及びその作成された分布データに対し解析を行いその解析結果を出力する解析機能を実行するための分析用プログラムを記録した記録媒体。
【請求項５】
移動する複数の粒子を順次撮像して得られる粒子画像から算出された粒径パラメータ，円形度パラメータおよび長短径比パラメータの内の少なくとも１つのパラメータの値を集計し、円形度パラメータによる分布データ，長短径比パラメータによる分布パラメータ，粒径パラメータと長短径比パラメータとによる分布データ，円形度パラメータと長短径比パラメータとによる分布データ，粒径パラメータと円形度パラメータと長短径比パラメータとによる分布データ、以上５つの分布データのうち少なくとも１つの分布データを作成しそれを分布図として出力する図表作成機能及びその作成された分布データに対し解析を行いその解析結果を出力する解析機能を実行するための分析用プログラムを記録した記録媒体。
【請求項６】
移動する複数の粒子を順次撮像して得られる粒子画像から、粒径パラメータ，円形度パラメータおよび長短径比パラメータの少なくとも１つのパラメータを算出し、得られたパラメータの値を集計し、円形度パラメータによる分布データ，長短径比パラメータによる分布パラメータ，粒径パラメータと長短径比パラメータとによる分布データ，円形度パラメータと長短径比パラメータとによる分布データ，粒径パラメータと円形度パラメータと長短径比パラメータとによる分布データ、以上５つの分布データのうち少なくとも１つの分布データを作成しそれを分布図として出力する図表作成機能及びその作成された分布データに対し解析を行いその解析結果を出力する解析機能を実行するための分析用プログラム。
【請求項７】
移動する複数の粒子を順次撮像して得られる粒子画像から算出された粒径パラメータ，円形度パラメータおよび長短径比パラメータの内の少なくとも１つのパラメータの値を集計し、円形度パラメータによる分布データ，長短径比パラメータによる分布パラメータ，粒径パラメータと長短径比パラメータとによる分布データ，円形度パラメータと長短径比パラメータとによる分布データ，粒径パラメータと円形度パラメータと長短径比パラメータとによる分布データ、以上５つの分布データのうち少なくとも１つの分布データを作成しそれを分布図として出力する図表作成機能及びその作成された分布データに対し解析を行いその解析結果を出力する解析機能を実行するための分析用プログラム。
【手続補正書】
【提出日】平成15年8月4日(2003.8.4)
【手続補正１】
【補正対象書類名】明細書
【補正対象項目名】請求項１
【補正方法】変更
【補正の内容】
【請求項１】
被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し、前記係止部に係止される係止凸部が形成され、
前記弾性片の係止凸部と反対側には、前記シーティングプレート表面側から挿入される治具が引っ掛けられる引掛け部が形成され、該引掛け部に治具を引っ掛けた状態で前記弾性片を変形させることにより、前記係止凸部と被係止部との係止状態を解除可能としたことを特徴とする電気部品用ソケット。
【手続補正２】
【補正対象書類名】明細書
【補正対象項目名】請求項３
【補正方法】変更
【補正の内容】
【請求項３】
被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し前記係止部に係止される係止凸部が形成され、
前記弾性片の係止凸部には、一部に切欠き部が形成され、該切欠き部には、前記シーティングプレート表面側から挿入された治具の先端部が摺動する傾斜面部が形成され、該傾斜面部を治具先端部が摺動することにより、前記係止凸部と被係止部との係止状態を解除可能としたことを特徴とする電気部品用ソケット。
【手続補正３】
【補正対象書類名】明細書
【補正対象項目名】請求項４
【補正方法】変更
【補正の内容】
【請求項４】
被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し前記係止部に係止される係止凸部が形成され、
前記ソケット本体の被係止部には、前記シーティングプレート表面側から挿入された治具が挿入される切欠き部が形成されたことを特徴とする電気部品用ソケット。
【手続補正４】
【補正対象書類名】明細書
【補正対象項目名】請求項５
【補正方法】変更
【補正の内容】
【請求項５】
被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出する係止凸部が形成され、更に、該弾性片には、前記シーティングプレート表面側端部に押圧部を形成すると共に、前記係止凸部と前記押圧部との中間部で弾性捻り変形し得るように形成され、該押圧部を押圧することにより、前記弾性片を捻り回動させて、前記係止凸部と被係止部との係止状態を解除可能としたことを特徴とする電気部品用ソケット。
【手続補正５】
【補正対象書類名】明細書
【補正対象項目名】０００７
【補正方法】変更
【補正の内容】
【０００７】
【課題を解決するための手段】
かかる課題を達成するために、請求項１に記載の発明は、被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し、前記係止部に係止される係止凸部が形成され、前記弾性片の係止凸部と反対側には、前記シーティングプレート表面側から挿入される治具が引っ掛けられる引掛け部が形成され、該引掛け部に治具を引っ掛けた状態で前記弾性片を変形させることにより、前記係止凸部と被係止部との係止状態を解除可能とした電気部品用ソケットとしたことを特徴としている。


【手続補正６】
【補正対象書類名】明細書
【補正対象項目名】０００９
【補正方法】変更
【補正の内容】
【０００９】
請求項３に記載の発明は、被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し前記係止部に係止される係止凸部が形成され、前記弾性片の係止凸部には、一部に切欠き部が形成され、該切欠き部には、前記シーティングプレート表面側から挿入された治具の先端部が摺動する傾斜面部が形成され、該傾斜面部を治具先端部が摺動することにより、前記係止凸部と被係止部との係止状態を解除可能とした電気部品用ソケットとしたことを特徴とする。


【手続補正７】
【補正対象書類名】明細書
【補正対象項目名】００１０
【補正方法】変更
【補正の内容】
【００１０】
請求項４に記載の発明は、被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出し前記係止部に係止される係止凸部が形成され、前記ソケット本体の被係止部には、前記シーティングプレート表面側から挿入された治具が挿入される切欠き部が形成された電気部品用ソケットとしたことを特徴としている。


【手続補正８】
【補正対象書類名】明細書
【補正対象項目名】００１１
【補正方法】変更
【補正の内容】
【００１１】
請求項５に記載の発明は、被係止部が形成されたソケット本体と、該ソケット本体に着脱自在に配設されるシーティングプレートとを備える電気部品用ソケットにおいて、前記シーティングプレートには、前記ソケット本体側に突出する弾性片が形成されると共に、該弾性片には片面側に突出する係止凸部が形成され、更に、該弾性片には、前記シーティングプレート表面側端部に押圧部を形成すると共に、前記係止凸部と前記押圧部との中間部で弾性捻り変形し得るように形成され、該押圧部を押圧することにより、前記弾性片を捻り回動させて、前記係止凸部と被係止部との係止状態を解除可能とした電気部品用ソケットとしたことを特徴とする。
【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
内部の電極が、活物質又はホスト物質を含む合剤とこれを保持する膜状の集電体とからなる電池において、
前記集電体が、樹脂を含む薄膜Ｐと、電子伝導性の薄膜Ｅとの層状体であり、
薄膜Ｅは、薄膜Ｐと接する接合層と、前記接合層上に形成された導電層とを含むことを特徴とする電池。
【手続補正２】
【補正対象書類名】明細書
【補正対象項目名】０００７
【補正方法】変更
【補正の内容】
【０００７】
【課題を解決するための手段】
その目的を達成するために、本発明の電池は、
内部の電極が、活物質又はホスト物質を含む合剤とこれを保持する膜状の集電体とからなる電池において、
前記集電体が、樹脂を含む薄膜Ｐと、電子伝導性の薄膜Ｅとの層状体であり、
薄膜Ｅは、薄膜Ｐと接する接合層と、前記接合層上に形成された導電層とを含むことを特徴とする。
【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
内部の電極が、活物質又はホスト物質を含む合剤とこれを保持する膜状の集電体とからなる電池において、
前記集電体が樹脂を含む薄膜Ｐと電子伝導性の薄膜Ｅとの層状体であり、前記薄膜Ｅの面に前記合剤を備えたことを特徴とする電池。
【請求項２】
前記電極が、前記集電体の合剤を備えない面同士を合わせ、合剤層を外側に配置したものである請求項１に記載の電池。
【手続補正２】
【補正対象書類名】明細書
【補正対象項目名】０００６
【補正方法】変更
【補正の内容】
【０００６】
【課題を解決するための手段】
その目的を達成するために、本発明の電池は、
内部の電極が、活物質又はホスト物質を含む合剤とこれを保持する膜状の集電体とからなる電池において、
前記集電体が樹脂を含む薄膜Ｐと電子伝導性の薄膜Ｅとの層状体であり、前記薄膜Ｅの面に前記合剤を備えたことを特徴とする。薄膜Ｐは、樹脂のみからなるものの他、樹脂と他の材料との組成物であっても良い。


【手続補正３】
【補正対象書類名】明細書
【補正対象項目名】０００８
【補正方法】変更
【補正の内容】
【０００８】
本発明の電池は、前記電極が、厚さ方向の断面において順に合剤層、集電体、集電体及び合剤層の積層構造を有するように、前記集電体の合剤を備えない面同士を合わせ、合剤層を外側に配置したものであると好ましい。これは以下のような理由による。
一般に有機電解質電池などの小型の電池の内部電極は、活物質やホスト物質を結着剤や導電剤とともにペースト状に調整して得られる合剤を集電体に塗布することによって作製される。合剤は電池のエネルギー密度を高めるために集電体の両面に塗布される。この場合、集電体の第一面に塗布される合剤の厚みに比較して第二面に塗布される合剤の厚みの精度が劣るという問題があった。これは、第二面が第一面の裏側であるために、第一面の厚みのばらつきが第二面の塗布精度に重畳されてしまうことによる。このように合剤の厚みがばらつくと、厚い部分に電流が集中し、例えばリチウム電池においてはＬｉが電析して容量低下及び寿命劣化を生じる。また、Ｌｉ電析により熱的に不安定になる。
【手続補正書】
【提出日】平成15年10月2日(2003.10.2)
【手続補正１】
【補正対象書類名】明細書
【補正対象項目名】特許請求の範囲
【補正方法】変更
【補正の内容】
【特許請求の範囲】
【請求項１】
発呼した相手の電話機の番号の情報を受信して記憶し、特定のキーの押下により前記電話番号の情報を表示し、入力された名前と前記電話番号の情報とを対応付けて電話帳データとして記憶することを特徴とする携帯電話機。
【請求項２】
発呼した相手の電話機の番号の情報を受信して記憶し、通話中の特定のキーの押下により前記電話番号の情報を表示し、入力された名前と前記電話番号の情報とを対応付けて電話帳データとして記憶することを特徴とする携帯電話機。
【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
基板処理工程モニター装置において、
基板に形成されたパターンに光束を照射する光束入射手段と、
前記パターンからの前記光束を受光する受光手段と、
前記受光手段からの信号を用いて前記光束の変化を検出する検出手段と、
前記検出手段の結果に基づいて前記パターンの形成状態を求める手段と、
前記基板の基板処理工程の前と基板処理工程の後の前記パターンの形成状態の結果を記憶し、比較する処理手段と、を有することを特徴とする基板処理工程モニター装置。
【請求項２】
前記光束の変化は、前記光束の偏光状態の変化であることを特徴とする請求項１の基板処理工程モニター装置。
【請求項３】
前記光束の変化は、前記光束の強度の変化であることを特徴とする請求項１の基板処理工程モニター装置。
【請求項４】
前記処理手段は、該比較した結果に基づいて前記基板処理工程の異常を判定することを特徴とする請求項１の基板処理工程モニター装置。
【請求項５】
前記処理手段は、前記光束の変化が予め決められた範囲であるかどうか判定して該パターンの形成状態の良否を求めることを特徴とする請求項１の基板処理工程モニター装置。
【請求項６】
前記基板の基板処理工程の前と基板処理工程の後の該パターンの形成状態の良否を求める際、前記予め決められた範囲が異なることを特徴とする請求項５の基板処理工程モニター装置。
【請求項７】
前記基板には前記パターンが複数形成されており、前記処理手段は、各パターン毎に前記基板の基板処理工程の前と基板処理工程の後の各パターンの形成状態の結果を記憶し、比較することを特徴とする請求項１の基板処理工程モニター装置。
【請求項８】
前記基板処理工程は、現像処理工程もしくはエッチング処理工程もしくはアッシング処理工程であることを特徴とする請求項１乃至７のいずれか一項の基板処理工程モニター装置。
【請求項９】
請求項１乃至８のいずれか一項の基板処理工程モニター装置を用いてデバイスを製造することを特徴とするデバイス製造方法。
【請求項１０】
基板処理工程モニター方法において、
基板に形成された周期的パターンに光束を照射するする工程と、
受光手段により、前記パターンからの前記光束を受光する工程と、
前記受光手段からの信号を用いて前記光束の変化を検出する工程と、
前記検出工程の結果に基づいて前記パターンの形成状態を求める工程と、
前記基板の基板処理工程の前と基板処理工程の後の前記パターンの形成状態の結果を記憶し、比較する処理工程とを有することを特徴とする基板処理工程モニター方法。
【手続補正２】
【補正対象書類名】明細書
【補正対象項目名】０００９
【補正方法】変更
【補正の内容】
【０００９】
【課題を解決するための手段】
本発明の基板処理工程モニター装置のある形態は、基板に形成された周期的パターンに光束を照射する光束入射手段と、前記パターンからの前記光束を受光する受光手段と、前記受光手段からの信号を用いて前記光束の変化を検出する検出手段と、前記検出手段の結果に基づいて前記パターンの形成状態を求める手段と、前記基板の基板処理工程の前と基板処理工程の後の前記パターンの形成状態の結果を記憶し、比較する処理手段とを有することを特徴とする。


【手続補正３】
【補正対象書類名】明細書
【補正対象項目名】００１０
【補正方法】変更
【補正の内容】
【００１０】
前記光束の変化は、前記光束の偏光状態の変化であることを特徴とする。


【手続補正４】
【補正対象書類名】明細書
【補正対象項目名】００１１
【補正方法】変更
【補正の内容】
【００１１】
前記光束の変化は、前記光束の強度の変化であることを特徴とする。


【手続補正５】
【補正対象書類名】明細書
【補正対象項目名】００１２
【補正方法】変更
【補正の内容】
【００１２】
前記処理手段は、該比較した結果に基づいて前記基板処理工程の異常を判定することを特徴とする。


【手続補正６】
【補正対象書類名】明細書
【補正対象項目名】００１３
【補正方法】変更
【補正の内容】
【００１３】
前記処理手段は、前記光束の変化が予め決められた範囲であるかどうか判定して該パターンの形成状態の良否を求めることを特徴とする。


【手続補正７】
【補正対象書類名】明細書
【補正対象項目名】００１８
【補正方法】変更
【補正の内容】
【００１８】
本発明の基板処理工程モニター方法のある形態は、基板に形成された周期的パターンに光束を照射するする工程と、受光手段により前記パターンからの前記光束を受光する工程と、前記受光手段からの信号を用いて前記光束の変化を検出する工程と、前記検出工程の結果に基づいて前記パターンの形成状態を求める工程と、前記基板の基板処理工程の前と基板処理工程の後の前記パターンの形成状態の結果を記憶し、比較する処理工程とを有することを特徴とする。


【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
固体イマージョンレンズを少なくとも備えたヘッドを具備し、ディスク記録媒体の記録再生を行うための記録再生装置において、
前記固体イマージョンレンズのディスク記録媒体と対向する面に磁性体材料で形成された部材が設けられていることを特徴とする記録再生装置。
【請求項２】
前記磁性体材料で形成された部材が磁芯であることを特徴とする請求項１に記載の記録再生装置。
【請求項３】
前記磁性体材料が、レーザー光を透過する透明フェライト、イットリウム鉄ガーネットまたは希土類鉄ガーネットで形成されていることを特徴とする請求項１または２に記載の記録再生装置。
【請求項４】
前記記録再生装置は、レーザー光透過部が形成された浮上ヘッドスライダーを有するヘッド部とアーム部とディスク記録媒体の信号検出系装置とを有するスイングアーム部を備え、前記固体イマージョンレンズが前記ヘッド部に積載され、且つ、前記スイングアーム部のスイング駆動軸が前記記録再生装置に載置されるディスク記録媒体の外周近傍に配置されていることを特徴とする請求項１〜３のいずれか一項に記載の記録再生装置。
【請求項５】
前記スイングアーム部が前記スイング駆動軸に支点を有する天秤状のスイングアームであり、前記ヘッド部が前記天秤状のスイングアームのディスク記録媒体側の先端に固定して設置されており、前記天秤状のスイングアームのもう一方の端には、ディスク記録媒体の前記信号検出系装置が固定して載置されていることを特徴とする請求項４に記載の記録再生装置。
【請求項６】
前記ヘッド部が磁気コイルを具備していることを特徴とする請求項４に記載の記録再生装置。
【請求項７】
前記ディスク記録媒体にプリピットが形成されており、該プリピットによりトラッキング信号が検出されることを特徴とする請求項４に記載の記録再生装置。
【手続補正２】
【補正対象書類名】明細書
【補正対象項目名】０００６
【補正方法】変更
【補正の内容】
【０００６】
【問題を解決するための手段】
本発明の態様に従えば、固体イマージョンレンズを少なくとも備えたヘッドを具備し、ディスク記録媒体の記録再生を行うための記録再生装置において、前記固体イマージョンレンズのディスク記録媒体と対向する面に磁性体材料で形成された部材が設けられていることを特徴とする記録再生装置が提供される。
本発明は高記録密度のディスク状情報記録媒体に、高容量の情報を、高速度で記録再生消去が行える、記録再生ドライブ装置であって、特にスイング・アームの先端に光ヘッド、或るいは光ヘッドと磁気ヘッドを一体に組み合わせた光磁気ヘッドを取り付けられ、固定される、スイング・アーム・ヘッドを装備するものに関するものである。本発明のスイング・アーム・ヘッドは記録再生ドライブ装置装着されるディスク記録媒体の外周近傍の支点に取り付けられており、スイング・アーム・ヘッドはこの支点を中心に、ディスク記録媒体の記録面に平行に、扇形状に移動しながら、ディスク記録媒体に情報の記録再生消去を行う機能がある。本発明のスイング・アーム・光ヘッド、或いはスイング・アーム・光磁気ヘッドは、小形の高記録密度のディスク記録媒体に、極く微細な「レーザ・ビーム・スポット」単位信号の照射、或いは極く微細な「磁界」単位信号を加えて、超微細な「ピット」の単位信号、超微細な「磁区、或いはドメイン」の単位信号等の高密度情報信号を、記録再生消去の情報処理を、高速度で行える機能を有するヘッド機構である。本発明の記録再生装置においては、少なくともヘッド部とスイング・アーム部と光ビーム・スプリッターからなるスイング・アームを備えると共に、ヘッド部は記録再生装置に載置の記録媒体の外周近傍に、スイング駆動軸が配置されるアームの先端に設置固定され、該ヘッド部は対物レンズ駆動装置と、対物レンズの中心線を中心とするレーザ・ビーム透過部形成体とから構成される。該ヘッド部のレーザ・ビーム透過部形成体は、ヘッド浮上機能を備えるヘッドスライダーから構成されてもよい。本発明の記録再生装置に用いる記録媒体は光記録媒体、光磁気記録媒体、光ビーム・トラッキングを行う磁気記録媒体等の記録媒体であり、特に、光ディスク記録媒体、光磁気ディスク記録媒体、光ビーム・トラッキングを行う磁気ディスク記録媒体等に好適である。また、前記ディスク記録媒体にプリピットが形成されており、該プリピットによりトラッキング信号が検出されることが好ましい。本発明の記録再生装置の内、光磁気記録再生装置においては、少なくともヘッド部とスライダーとスイング・アーム部と光ビーム・スプリッターからなるスイング・アームを備えると共に、ヘッド部は光磁気記録再生装置に載置の光磁気ディスクの外周近傍に、スイング駆動軸が配置される。アームの先端に設置固定されるヘッド部は対物レンズ駆動装置と、対物レンズの中心線を中心とするレーザ・ビーム透過部を形成されたヘッドスライダーと、磁気コイルから構成される。ヘッド部の対物レンズの中心線が中心となる、上記レーザ・ビーム透過部に固体イマージング・レンズを設置固定して用いれば、記録媒体記録層の極めて微細な情報信号ピット素子、情報磁区信号、情報ドメイン信号等を読み取り、書き込み、消去等が行える効果が得られる。さらに、本発明の記録再生装置において、少なくともヘッド部とスライダーとスイング・アーム部と光ビーム・スプリッターからなるスイング・アームを備えると共に、該ヘッド部が、記録再生装置に載置されるディスク記録媒体の外周近傍にスイング駆動軸が配置されると共に、該スイング駆動軸に支点を有する天秤状のスイングアームのディスク記録媒体側先端に設置固定されており、該天秤状のスイング・アームのもう一方の端には、ディスク記録媒体の信号検出系装置が載置固定されていてもよい。


【手続補正３】
【補正対象書類名】明細書
【補正対象項目名】００１３
【補正方法】変更
【補正の内容】
【００１３】
本発明の記録再生装置では、前記磁性体材料からなる部材が磁芯であることが好ましい。磁芯には光を透過する磁性体材料を用いることが好ましい。これにより、記録媒体に向けて照射されるレーザ光の光路が遮られないので、効率よく記録媒体上にレーザ光を照射することができる。この磁性体材料としては例えば、透明フェライト、イットリウム鉄ガーネット、希土類鉄ガーネット等がある。本発明の光磁気ヘッドにおいて光学素子の少なくともー部がレーザ光を透過する磁性材料で構成されていることが好ましい。かかる構成を採用することにより光磁気ヘッドに使用する部品点数を少なくして光磁気ヘッドを小型化させることができる。さらにレーザ光を透過する磁性材料を光学素子のレーザ光の出射面に直交する中心近傍だけに配することもでき、これによって外部磁界の位置決め精度を向上させることができる。
【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
情報記録領域と等化係数学習領域を有する情報記録媒体に対し、光を照射して情報を再生する方法であって、
前記等化係数学習領域内に記録された等化係数学習マークを光スポットで走査し、
前記等化係数学習領域には、等化係数学習マークが、少なくとも最短マークと最短ブランクとの第１のマーク列と、前記最短マークと最短ブランクよりも大きいマークとブランクとの第２のマーク列とが周期的に記録されており、
前記等化係数学習マークによる光学的変化を検出して等化係数学習信号を生成し、
前記等化係数学習信号に基づいて、等化係数を最適化し、
前記情報記録領域内に記録された情報マークを光スポットで走査し、
前記情報マークによる光学的変化を検出して再生信号を生成し、
前記再生信号を、前記最適化された等化係数を用いて等化処理して情報を再生することを特徴とする情報再生方法。
【請求項２】
請求項１記載の情報記録方法において、前記第１のマーク列を光スポットで走査することにより第１の信号振幅を得、前記第２のマーク列を光スポットで走査することにより第２の信号振幅を得、前記第１の信号振幅と前記第２の信号振幅との比が、予め定められた値となるよう等化係数を最適化することを特徴とする情報再生方法。
【請求項３】
光源と、
前記光源からの光スポットを、情報記録媒体の所定の位置に駆動する手段と、前記情報記録媒体を光スポットで走査して得られた光学的変化を検出する手段と、
前記情報記録媒体の等化係数学習領域に記録された、少なくとも最短マークと最短ブランクとの第１のマーク列と、前記最短マークと最短ブランクよりも大きいマークとブランクとの第２のマーク列とからなる学習マークを光スポットで走査して得られた光学的変化から等化係数学習信号を生成する手段と、
前記等化係数学習信号に基づいて、等化係数を最適化する手段と、
前記情報記録媒体の情報記録領域に記録された、情報マークを光スポットで走査して得られた光学的変化から再生信号を生成する手段と、
前記再生信号を、前記最適化された等化係数を用いて等化処理する手段とを有することを特徴とする情報記録再生装置。
【請求項４】
請求項３記載の情報記録再生装置において、前記等化係数を最適化する手段は、前記第１のマーク列を光スポットで走査することにより第１の信号振幅を得、前記第２のマーク列を光スポットで走査することにより第２の信号振幅を得、前記第１の信号振幅と前記第２の信号振幅との比が、予め定められた値となるよう等化係数を最適化する手段であることを特徴とする情報記録再生装置。